(57)【要約】  洗浄組成物、車両の外面を洗浄する方法、及び車両の外面を洗浄するための洗浄組成物を開示する。Ｃ8〜22アルキルジメチルアミンオキシド界面活性剤、Ｃ6〜12アルキルジメチルアミンオキシド界面活性剤、Ｃ8〜18アルキルポリエチレングリコールソルビタン脂肪エステル界面活性剤、及びＣ12〜14第二級アルコールエトキシレート界面活性剤を含む洗浄組成物を開示する。方法は、洗浄組成物を提供することと、車両の外面に前記洗浄組成物を塗布することと、前記車両の外面をすすぐこととを含む。
2015525276.tif 000002
【特許請求の範囲】
【請求項１】
ａ）Ｃ8〜22アルキルジメチルアミンオキシド界面活性剤と、
ｂ）Ｃ6〜12アルキルジメチルアミンオキシド界面活性剤と、
ｃ）Ｃ8〜18アルキルポリエチレングリコールソルビタン脂肪エステル界面活性剤分子１個当たり０〜２０個のエトキシレート基を含む、Ｃ8〜18アルキルポリエチレングリコールソルビタン脂肪エステル界面活性剤と、
ｄ）Ｃ12〜14第二級アルコールエトキシレート界面活性剤分子１個当たり１４〜１６個のエトキシレート基を含む、Ｃ12〜14第二級アルコールエトキシレート界面活性剤と、
含む洗浄組成物。
【請求項２】
前記Ｃ8〜22アルキルジメチルアミンオキシド界面活性剤が、Ｃ8〜16アルキルジメチルアミンオキシド界面活性剤であり；前記Ｃ6〜12アルキルジメチルアミンオキシド界面活性剤が、Ｃ6〜10アルキルジメチルアミンオキシド界面活性剤であり；前記Ｃ8〜18アルキルポリエチレングリコールソルビタン脂肪エステル界面活性剤が、Ｃ10〜14アルキルポリエチレングリコールソルビタン脂肪エステル界面活性剤分子１個当たり０〜６個のエトキシレート基を含むＣ10〜14アルキルポリエチレングリコールソルビタン脂肪エステル界面活性剤であり；前記Ｃ12〜14第二級アルコールエトキシレート界面活性剤が、分枝鎖第二級アルコールエトキシレート界面活性剤である、請求項１に記載の洗浄組成物。
【請求項３】
前記Ｃ8〜22アルキルジメチルアミンオキシド界面活性剤が、以下の式：
【化１】
2015525276.tif 000016
（式中、
Ｒ1は、Ｃ5〜21アルキル、Ｃ5〜21ヒドロキシアルキル、Ｃ5〜21アルキルフェニル基、及びこれらの混合物からなる群より選択され；
Ｒ2は、Ｃ1〜3アルキルであり；
ｘは、０又は１である）を有し、
前記Ｃ6〜12アルキルジメチルアミンオキシド界面活性剤が、以下の式：
【化２】
2015525276.tif 000017
（式中、Ｒ3は、Ｃ6〜12アルキル、Ｃ6〜12ヒドロキシアルキル、Ｃ6〜12アルキルフェニル基、及びこれらの混合物である）を有する、請求項１又は２に記載の洗浄組成物。
【請求項４】
前記Ｃ8〜22アルキルジメチルアミンオキシド界面活性剤が、ココアミドプロピルジメチルアミンオキシドである、請求項１〜３のいずれか一項に記載の洗浄組成物。
【請求項５】
前記Ｃ6〜12アルキルジメチルアミンオキシド界面活性剤が、オクチルジメチルアミンオキシドである、請求項１〜４のいずれか一項に記載の洗浄組成物。
【請求項６】
前記Ｃ8〜18アルキルポリエチレングリコールソルビタン脂肪エステル界面活性剤が、モノラウリン酸ポリオキシエチレン（４）ソルビタンである、請求項１〜５のいずれか一項に記載の洗浄組成物。
【請求項７】
請求項１〜６のいずれか一項に記載の洗浄組成物であって、
前記Ｃ8〜22アルキルジメチルアミンオキシド界面活性剤を前記洗浄組成物の０．１重量％〜５重量％含み、
前記Ｃ6〜12アルキルジメチルアミンオキシド界面活性剤を前記洗浄組成物の０．１重量％〜５重量％含み、
前記Ｃ8〜18アルキルポリエチレングリコールソルビタン脂肪エステル界面活性剤を前記洗浄組成物の０．１重量％〜５重量％含み、
前記Ｃ12〜14第二級アルコールエトキシレート界面活性剤を前記洗浄組成物の０．１重量％〜５重量％含む、
洗浄組成物。
【請求項８】
少なくとも１つの腐食防止剤を更に含む、請求項１〜７のいずれか一項に記載の洗浄組成物。
【請求項９】
車両の外面を洗浄する方法であって、
請求項１〜８のいずれか一項に記載の洗浄組成物を提供する工程と、
前記洗浄組成物を前記車両の外面に塗布する工程と、
前記車両の外面を水ですすぐ工程と、
を含む方法。
【請求項１０】
車両の外面を洗浄するための洗浄組成物であって、
ａ）０．１重量％〜５重量％のＣ8〜16アルキルジメチルアミンオキシド界面活性剤と、
ｂ）０．１重量％〜５重量％のＣ6〜10アルキルジメチルアミンオキシド界面活性剤と、
ｃ）０．１重量％〜５重量％のＣ10〜14アルキルポリエチレングリコールソルビタン脂肪エステル界面活性剤であって、Ｃ8〜18アルキルポリエチレングリコールソルビタン脂肪エステル界面活性剤分子１個当たり０〜６個のエトキシレート基を含むＣ10〜14アルキルポリエチレングリコールソルビタン脂肪エステル界面活性剤と
ｄ）０．１重量％〜５重量％のＣ12〜14第二級アルコールエトキシレート界面活性剤であって、Ｃ12〜14第二級アルコールエトキシレート界面活性剤分子１個当たり１４〜１６個のエトキシレート基を含むＣ12〜14第二級アルコールエトキシレート界面活性剤と、を含み、
前記Ｃ8〜16アルキルジメチルアミンオキシド界面活性剤、前記Ｃ6〜10アルキルジメチルアミンオキシド界面活性剤、前記Ｃ10〜14アルキルポリエチレングリコールソルビタン脂肪エステル界面活性剤、及び前記Ｃ12〜14第二級アルコールエトキシレート界面活性剤が、１：１：１：１の比で洗浄組成物中に含まれる洗浄組成物。
【発明の詳細な説明】
【技術分野】
【０００１】
本発明は、洗浄組成物及び洗浄方法に関し、より具体的には、車両の外面を洗浄するための洗浄組成物及び車両の外面を洗浄する方法に関する。
【背景技術】
【０００２】
多くの化学兵器剤が開発され、備蓄されてきた。幾つかの致死性の化学兵器剤の例としては、硫黄マスタード等のびらん剤及び神経剤が挙げられる。硫黄マスタードは、一般的に、マスタードガスとして知られており、窒素硫黄化合物及び塩素化硫黄化合物を含む。精製マスタード（すなわち、「ＨＤ」）は、マスタードガスの最も一般的な製剤である。神経剤は、器官への神経伝達を乱す有機リン酸塩の種類である。神経剤は、Ｇシリーズ神経剤及びＶシリーズ神経剤の２つのクラスに分類される。Ｇシリーズ及びＶシリーズの幾つかの神経剤の例としては、それぞれ、ソマン（すなわち、「ＧＤ」）及びＶＸが挙げられる。
【０００３】
航空機等の車両の外面からこのような化学兵器剤を除去するための現在の汚染除去手順は、典型的に、以下の３段階プロセスを使用する：１）石鹸水で外面を予洗いして汚れを除去する；２）汚染除去組成物を外面に塗布して、化学兵器剤を除去する；及び３）外面をすすぐ。石鹸水は、２段階プロセス（例えば、石鹸水で外面を洗浄して、汚れ及び化学兵器剤を除去することと、外面をすすぐことを含む）を介してこのような外面から化学兵器剤を物理的に除去するための基本的な手段を提供するが、このような二用途石鹸は開発されていないか、又は現場で有効に用いられていない。
【発明の概要】
【発明が解決しようとする課題】
【０００４】
したがって、別の洗浄組成物及び汚染除去方法が現在も必要とされている。
【課題を解決するための手段】
【０００５】
１つの実施形態によれば、洗浄組成物が提供される。洗浄組成物は、Ｃ8〜22アルキルジメチルアミンオキシド界面活性剤、Ｃ6〜12アルキルジメチルアミンオキシド界面活性剤、Ｃ8〜18アルキルポリエチレングリコールソルビタン脂肪エステル界面活性剤、及びＣ12〜14第二級アルコールエトキシレート界面活性剤を含む。Ｃ8〜18アルキルポリエチレングリコールソルビタン脂肪エステル界面活性剤は、Ｃ8〜18アルキルポリエチレングリコールソルビタン脂肪エステル界面活性剤分子１個当たり、０〜約２０個のエトキシレート基を含む。Ｃ12〜14第二級アルコールエトキシレート界面活性剤は、Ｃ12〜14第二級アルコールエトキシレート界面活性剤分子１個当たり約１４〜約１６個のエトキシレート基を含む。
【０００６】
別の実施形態では、車両の外面を洗浄する方法を提供する。方法は、洗浄組成物を提供することと、車両の外面に前記洗浄組成物を塗布することと、前記車両の外面を水ですすぐこととを含む。洗浄組成物は、Ｃ8〜22アルキルジメチルアミンオキシド界面活性剤、Ｃ6〜12アルキルジメチルアミンオキシド界面活性剤、Ｃ8〜18アルキルポリエチレングリコールソルビタン脂肪エステル界面活性剤、及びＣ12〜14第二級アルコールエトキシレート界面活性剤を含んでよい。Ｃ8〜18アルキルポリエチレングリコールソルビタン脂肪エステル界面活性剤は、Ｃ8〜18アルキルポリエチレングリコールソルビタン脂肪エステル界面活性剤分子１個当たり０〜約２０個のエトキシレート基を含む。Ｃ12〜14第二級アルコールエトキシレート界面活性剤は、Ｃ12〜14第二級アルコールエトキシレート界面活性剤分子１個当たり、約１４〜約１６個のエトキシレート基を含む。
【０００７】
更に別の実施形態では、車両の外面を洗浄するための洗浄組成物を提供する。洗浄組成物は、約０．１重量％〜約５重量％のＣ8〜16アルキルジメチルアミンオキシド界面活性剤、約０．１重量％〜約５重量％のＣ6〜10アルキルジメチルアミンオキシド界面活性剤、約０．１重量％〜約５重量％のＣ10〜14アルキルポリエチレングリコールソルビタン脂肪エステル界面活性剤、及び約０．１重量％〜約５重量％の、Ｃ12〜14第二級アルコールエトキシレート界面活性剤分子１個当たり約１４〜約１６個のエトキシレート基を含むＣ12〜14第二級アルコールエトキシレート界面活性剤を含む。Ｃ10〜14アルキルポリエチレングリコールソルビタン脂肪エステル界面活性剤は、Ｃ8〜18アルキルポリエチレングリコールソルビタン脂肪エステル界面活性剤分子１個当たり０〜約６個のエトキシレート基を含む。Ｃ12〜14第二級アルコールエトキシレート界面活性剤は、Ｃ12〜14第二級アルコールエトキシレート界面活性剤分子１個当たり約１４〜約１６個のエトキシレート基を含む。Ｃ8〜16アルキルジメチルアミンオキシド界面活性剤、Ｃ6〜10アルキルジメチルアミンオキシド界面活性剤、Ｃ10〜14アルキルポリエチレングリコールソルビタン脂肪エステル界面活性剤、及びＣ12〜14第二級アルコールエトキシレート界面活性剤は、１：１：１：１の比で洗浄組成物中に提供される。洗浄組成物は、塗布した際に車両の外面から化学兵器剤を除去するのに有効である。
【０００８】
本明細書に記載の実施形態の更なる特徴及び利点は、以下の詳細な説明に記載され、一部は、前記説明から当業者に容易に明らかになるか、又は以下の詳細な説明、特許請求の範囲、及び貼付図面を含む本明細書に記載の実施形態を実施することによって認識される。
【０００９】
前述の一般の説明及び次の詳細な説明の両方は、種々の実施形態を説明し、特許請求される発明の主題の本質及び特徴を理解するための概観又は骨組を提供することが意図されることを理解されたい。添付の図面は、種々の実施形態の更なる理解を提供するために含められたものであり、本明細書の一部に組み込まれると共に本明細書の一部をなすものである。図面は、本明細書に記述される種々の実施形態を例示し、説明と一緒に、特許請求される発明の主題の原則及び動作を説明する機能を果たす。
【図面の簡単な説明】
【００１０】
【図１】対照Ｃ８処方、Ｃ８処方＋Ｓｕｒｆａｃｔｏｌ（登録商標）３６５、Ｃ８処方＋Ｍａｃａｔ（登録商標）Ｕｌｔｒａ  ＣＤＯ、及びＣ８処方＋Ｍｉｒａｎｏｌ（登録商標）ＪＥＭによる、化学剤耐性コーティング表面（すなわち、ＣＡＲＣ）、空軍トップコートでコーティングされた表面（すなわち、ＡＦ）、及び海軍トップコートでコーティングされた表面（すなわち、ＮＶ）における２ークロロエチルフェニルスルフィドの除去率のグラフである。
【発明を実施するための形態】
【００１１】
本願では以下の用語を用いる：
本明細書で使用するとき、用語「洗浄」及び「洗浄する」は、組成物が汚れを除去する、並びに／又は危険物質を中和及び／若しくは除去する能力について記載する。例えば、本明細書に記載する洗浄組成物は、汚れを除去する、並びに化学兵器剤及び生物兵器剤等の危険物質を除去する能力を有する。化学兵器剤の例としては、マスタードガス及び神経剤が挙げられる。
【００１２】
本明細書で使用するとき、用語「アルキル」は、直鎖（すなわち、「直線状の鎖」）であってよい飽和一価炭化水素ラジカル、例えば、メチル、エチル、プロピル、及びブチル、ペンチル、ヘキシル、ヘプチル、オクチル、ノニル、デシル、ウンデシル、ドデシル、トリデシル、並びにＣ１４、Ｃ１５、Ｃ１６、Ｃ１７、Ｃ１８、Ｃ１９、Ｃ２０、Ｃ２１、Ｃ２２、Ｃ２３、及びＣ２４直鎖アルキルについて記載する。３個以上の炭素原子を含有するアルキル基については、用語アルキルは、分岐していてもよい飽和一価炭化水素ラジカルについて記載する。このような基の例としては、イソプロピル、イソブチル、及びｔｅｒｔ−ブチルが挙げられるが、これらに限定されない。当業者は、アルキル基が、任意で、例えば、アミノ、フッ素、塩素、臭素、塩素、臭素、ヨウ素、ニトロ、フェニル、ヒドロキシ、硫化物、チオール、エステル、及びアミドのうちの１個以上で置換されてもよいことを理解する。
【００１３】
本明細書で使用するとき、用語「ヒドロキシアルキル」は、ヒドロキシル（すなわち、−ＯＨ）が付加されているアルキル基について記載する。
【００１４】
本明細書で使用するとき、用語「アルキルフェニル基」は、フェニル（すなわち、
【００１５】
【化１】
2015525276.tif 000003
）が付加されているアルキル基について記載する。
【００１６】
Ｉ．洗浄組成物
以下に、洗浄組成物の実施形態について詳細に言及する。洗浄組成物は、Ｃ8〜22アルキルジメチルアミンオキシド界面活性剤、Ｃ6〜12アルキルジメチルアミンオキシド界面活性剤、Ｃ8〜18アルキルポリエチレングリコールソルビタン脂肪エステル界面活性剤、及びＣ12〜14第二級アルコールエトキシレート界面活性剤を含む。Ｃ8〜18アルキルポリエチレングリコールソルビタン脂肪エステル界面活性剤は、Ｃ8〜18アルキルポリエチレングリコールソルビタン脂肪エステル界面活性剤分子１個当たり、０〜約２０個のエトキシレート基を含有する。Ｃ12〜14第二級アルコールエトキシレート界面活性剤は、Ｃ12〜14第二級アルコールエトキシレート界面活性剤分子１個当たり約１４〜約１６個のエトキシレート基を含む。１つの実施形態では、本明細書に記載する洗浄組成物は、水溶液である。
【００１７】
洗浄組成物は、アミンオキシド界面活性剤を含む。より具体的には、洗浄組成物は、Ｃ8〜22アルキル基、アミンオキシド基、及び２個のメチル基を含有する水溶性アミンオキシド界面活性剤を含む。このような界面活性剤は、Ｃ8〜22アルキルジメチルアミンオキシド界面活性剤と呼ばれる。１つの実施形態では、Ｃ8〜22アルキルジメチルアミンオキシド界面活性剤は、Ｃ8〜22アルキル基とアミンオキシド基とを分離するアミドスペーサー基を含む。この特定の実施形態では、アミドスペーサー基は、Ｃ1〜3アルキルスペーサー基によってアミンオキシド基から分離される。このようなＣ8〜22アルキルジメチルアミンオキシド界面活性剤は、以下の式を有し得る：
【００１８】
【化２】
2015525276.tif 000004
（式中、
Ｒ1は、Ｃ5〜21アルキル、Ｃ5〜21ヒドロキシアルキル、Ｃ5〜21アルキルフェニル基、及びこれらの混合物からなる群より選択され；
Ｒ2は、Ｃ1〜3アルキルであり；
ｘは、０又は１である）。
【００１９】
更なる実施形態では、Ｃ8〜22アルキルジメチルアミンオキシド界面活性剤は、Ｃ8〜16アルキルジメチルアミンオキシド界面活性剤である。この特定の実施形態では、Ｒ1は、Ｃ5〜13アルキルであってよく、Ｒ2は、Ｃ3アルキルであってよく、ｘは、１であってよい。別の実施形態では、Ｃ8〜22アルキルジメチルアミンオキシド界面活性剤は、Ｃ14アルキルジメチルアミンオキシド界面活性剤である。この実施形態では、Ｒ1は、Ｃ11直鎖アルキルであってよく、Ｒ2は、Ｃ3直鎖アルキルであってよく、ｘは、１であってよい。更に別の実施形態では、Ｃ8〜22アルキルジメチルアミンオキシド界面活性剤は、ココアミドプロピルジメチルアミンオキシドである。Ｃ8〜22アルキルジメチルアミンオキシド界面活性剤は、洗浄組成物の約０．１重量％〜約５重量％、又は約０．５重量％〜約３重量％、又は約１重量％〜約２重量％で洗浄組成物中に存在し、残部は水である。
【００２０】
また、洗浄組成物は、短鎖アミンオキシド補助界面活性剤を含む。このような界面活性剤は、非イオン性であり、洗浄組成物において補助界面活性剤として使用してよい。より具体的には、洗浄組成物は、Ｃ6〜12アルキル基、アミンオキシド基、及び２個のメチル基を含有する非イオン性短鎖アミンオキシド界面活性剤を含む。このような界面活性剤又は補助界面活性剤は、Ｃ6〜12アルキルジメチルアミンオキシド界面活性剤と呼ばれ、以下の式を有し得る：
【００２１】
【化３】
2015525276.tif 000005
（式中、Ｒ3は、Ｃ6〜12アルキル、Ｃ6〜12ヒドロキシアルキル、Ｃ6〜12アルキルフェニル基、及びこれらの混合物である）。
【００２２】
更なる実施形態では、Ｃ6〜12アルキルジメチルアミンオキシド界面活性剤は、Ｃ6〜10アルキルジメチルアミンオキシド界面活性剤である。この特定の実施形態では、Ｒ3は、Ｃ6〜10直鎖アルキルであってよい。別の実施形態では、Ｃ6〜12アルキルジメチルアミンオキシド界面活性剤は、Ｃ8直鎖アルキルであり、ここで、Ｒ3は、Ｃ8直鎖アルキルである。更に別の実施形態では、Ｃ6〜12アルキルジメチルアミンオキシド界面活性剤は、オクチルジメチルアミンオキシドである。Ｃ6〜12アルキルジメチルアミンオキシド界面活性剤は、洗浄組成物の約０．１重量％〜約５重量％、又は約０．５重量％〜約３重量％、又は約１重量％〜約２重量％で洗浄組成物中に存在し、残部は水である。
【００２３】
洗浄組成物は、更に、ソルビタンエステル界面活性剤を含む。このような界面活性剤は、非イオン性である。より具体的には、洗浄組成物は、Ｃ8〜18アルキル基、ソルビタン基、ポリエチレングリコール基、及びソルビタンエステル界面活性剤１分子当たり０〜約２０個のエトキシレート基を有するソルビタンエステル界面活性剤を含有する。このような界面活性剤は、Ｃ8〜18アルキルポリエチレングリコールソルビタン脂肪エステル界面活性剤と呼ばれる。好適なＣ8〜18アルキルポリエチレングリコールソルビタン脂肪エステル界面活性剤の例としては、モノラウリン酸ポリオキシエチレン（２０）ソルビタン、モノパルミチン酸ポリオキシエチレン（２０）ソルビタン、モノステアリン酸ポリオキシエチレン（２０）ソルビタン、モノオレイン酸ポリオキシエチレン（２０）ソルビタン、モノラウリン酸ポリオキシエチレン（４）ソルビタン、モノステアリン酸ポリオキシエチレン（４）ソルビタン、及びモノオレイン酸ポリオキシエチレン（５）ソルビタンが挙げられるが、これらに限定されない。
【００２４】
１つの特定の実施形態では、Ｃ8〜18アルキルポリエチレングリコールソルビタン脂肪エステル界面活性剤は、Ｃ10〜14アルキルポリエチレングリコールソルビタン脂肪エステル界面活性剤である。この特定の実施形態では、Ｃ10〜14アルキルポリエチレングリコールソルビタン脂肪エステル界面活性剤は、Ｃ10〜14アルキルポリエチレングリコールソルビタン脂肪エステル界面活性剤分子１個当たり０〜約６個のエトキシレート基を含有する。更なる実施形態では、Ｃ8〜18アルキルポリエチレングリコールソルビタン脂肪エステル界面活性剤は、Ｃ11アルキルポリエチレングリコールソルビタン脂肪エステル界面活性剤である。更に別の実施形態では、Ｃ8〜18アルキルポリエチレングリコールソルビタン脂肪エステル界面活性剤は、モノラウリン酸ポリオキシエチレン（４）ソルビタンである。Ｃ8〜18アルキルポリエチレングリコールソルビタン脂肪エステル界面活性剤は、洗浄組成物の約０．１重量％〜約５重量％、又は約０．５重量％〜約３重量％、又は約１重量％〜約２重量％で洗浄組成物中に存在し、残部は水である。
【００２５】
また、洗浄組成物は、第二級アルコールエトキシレート界面活性剤を含む。より具体的には、洗浄組成物は、第二級アルコールエトキシレート界面活性剤１分子当たり約１２〜約１４個の炭素原子及び０〜約２０個のエトキシレート基を含有する第二級アルコールエトキシレート界面活性剤を含む。このような界面活性剤は、Ｃ12〜14第二級アルコールエトキシレート界面活性剤と呼ばれる。１つの実施形態では、Ｃ12〜14第二級アルコールエトキシレート界面活性剤は、直鎖である。別の実施形態では、Ｃ12〜14第二級アルコールエトキシレート界面活性剤は、分岐している。１つの特定の実施形態では、Ｃ12〜14第二級アルコールエトキシレート界面活性剤は、直鎖Ｃ12第二級アルコールアルコキシレートである。より具体的には、直鎖Ｃ12第二級アルコールアルコキシレートは、商品名Ｔｅｒｇｉｔｏｌ（商標）１３−Ｓ−５として販売されており、これは、１２個の炭素原子の平均ヒドロカルビル鎖長及びアルコール１モル当量当たり平均５モルのエチレンオキシドを有する第二級アルコールの混合物を含む。Ｃ12〜14第二級アルコールエトキシレート界面活性剤は、洗浄組成物の約０．１重量％〜約５重量％、又は約０．５重量％〜約３重量％、又は約１重量％〜約２重量％で洗浄組成物中に存在し、残部は水である。
【００２６】
１つの特定の実施形態では、Ｃ8〜22アルキルジメチルアミンオキシド界面活性剤、Ｃ6〜12アルキルジメチルアミンオキシド界面活性剤、Ｃ8〜18アルキルポリエチレングリコールソルビタン脂肪エステル界面活性剤、及びＣ12〜14第二級アルコールエトキシレート界面活性剤は、洗浄組成物中に１：１：１：１の比で存在する。別の実施形態では、洗浄組成物のｐＨは、約１０未満である。より具体的には、洗浄組成物のｐＨは、約３〜約１０、又は約５〜約９、又は約６〜約８である。
【００２７】
別の実施形態では、洗浄組成物は、少なくとも１つの腐食防止剤を含んでもよい。１つの実施形態では、腐食防止剤は、ポリマー又は無機であってよい。例えば、腐食防止剤又は防止剤は、ホウ酸亜鉛、重クロム酸ナトリウム、ｍｏｎａｃｏｒ  ４０００、ベンゾトリアゾール、ケイ酸ナトリウム、安息香酸ナトリウム、オルトケイ酸ナトリウム、メタケイ酸ナトリウム、亜硝酸ナトリウム、２−メルカプトベンズイミダゾール、２−メルカプトベンズオキサゾール、及びこれらの混合物からなる群より選択されてよい。１つの特定の実施形態では、洗浄組成物は、亜硝酸ナトリウム及びメタケイ酸ナトリウムの少なくとも１つを含む。腐食防止剤は、それぞれ、洗浄組成物の約０．０１重量％〜約１０重量％、又は約０．５重量％〜約５重量％、又は約１重量％〜約３重量％で洗浄組成物中に存在する。
【００２８】
１つの特定の実施形態では、車両の外面を洗浄するための洗浄組成物を提供する。洗浄組成物は、約０．１重量％〜約５重量％のＣ8〜16アルキルジメチルアミンオキシド界面活性剤、約０．１重量％〜約５重量％のＣ6〜10アルキルジメチルアミンオキシド界面活性剤、約０．１重量％〜約５重量％のＣ10〜14アルキルポリエチレングリコールソルビタン脂肪エステル界面活性剤、及び約０．１重量％〜約５重量％の、Ｃ12〜14第二級アルコールエトキシレート界面活性剤分子１個当たり約１４〜約１６個のエトキシレート基を含むＣ12〜14第二級アルコールエトキシレート界面活性剤を含む。Ｃ10〜14アルキルポリエチレングリコールソルビタン脂肪エステル界面活性剤は、Ｃ8〜18アルキルポリエチレングリコールソルビタン脂肪エステル界面活性剤分子１個当たり０〜約６個のエトキシレート基を含む。Ｃ12〜14第二級アルコールエトキシレート界面活性剤は、Ｃ12〜14第二級アルコールエトキシレート界面活性剤分子１個当たり約１４〜約１６個のエトキシレート基を含む。Ｃ8〜16アルキルジメチルアミンオキシド界面活性剤、Ｃ6〜10アルキルジメチルアミンオキシド界面活性剤、Ｃ10〜14アルキルポリエチレングリコールソルビタン脂肪エステル界面活性剤、及びＣ12〜14第二級アルコールエトキシレート界面活性剤は、１：１：１：１の比で洗浄組成物中に提供される。洗浄組成物は、塗布した際に車両の外面から化学兵器剤を除去するのに有効である。本明細書で論じる洗浄組成物の一例を以下の表Ｉに記載する。
【００２９】
本明細書に記載する洗浄組成物は、塗布した際に車両の外面から化学兵器剤を除去するのに有効である。既に論じた通り、洗浄組成物は、車両の外面に塗布してよく、該車両としては、陸上車、船舶、及び航空機を挙げることができるが、これらに限定されない。陸上車の例としては、自動車、トラック、バン、カート、バス、オートバイ、自転車、モペット、モノレール、貨物列車又は客車、トロリー、ケーブルカー、及び高速列車を含む陸上移動に適した任意の種類の車両が挙げられるが、これらに限定されない。船舶の例としては、水域上、水域内、又は水域に直接隣接して動作するのに適した任意の航海又は偽航海（pseudo-nautical）用の大型船又は小型船が挙げられるが、これらに限定されない。航空機の例としては、固定又は可変翼ジェット機、プロペラ機、ヘリコプター、垂直短距離離着陸機（すなわち、「ＶＳＴＯＬ機」）、及び遠隔操縦飛行機が挙げられるが、これらに限定されない。１つの特定の実施形態では、本明細書に記載する洗浄組成物は、塗布した際に航空機の外面から化学兵器剤を除去するのに有効である。
【００３０】
より具体的には、以下の実施例に記載する通り、本明細書に記載する洗浄組成物は、塗布した車両の外面から化学兵器剤を除去するのに有効である。更に、以下の表Ｉに記載する洗浄組成物は、ＭＩＬ−ＰＲＦ−８７９３７Ｄに記載の基準に対して評価を受けた。より具体的には、洗浄組成物は、以下の表ＩＩに記載の通り、ＭＩＬ−ＰＲＦ−８７９３７Ｄに記載の基準に対して評価を受けた。洗浄組成物は、このような基準を全て満たしていたが、この試験では長期保存安定性については評価しなかったことに留意すべきである。
【００３１】
【表１】
2015525276.tif 000006
【００３２】
【表２】
2015525276.tif 000007
【００３３】
ＩＩ．車両の外面を洗浄する方法
洗浄組成物の実施形態について詳細に記載する。車両の外面を洗浄する方法の更なる実施形態について以下に記載する。車両の外面を洗浄する方法を提供する。方法は、洗浄組成物を提供することと、該洗浄組成物を車両の外面に塗布することと、該車両の外面を水ですすぐこととを含む。洗浄組成物は、上述の通りである。
【００３４】
１つの実施形態では、洗浄組成物は、車両の外面に塗布される。１つの特定の実施形態では、洗浄組成物は、航空機の外面に塗布される。洗浄組成物は、洗浄組成物を車両の外面で噴霧することによって車両の外面に塗布してよい。このような塗布は、Ｈｙｄｒｏ  Ｅｎｇｉｎｅｅｒｉｎｇ  Ｈｙｄｒｏｂｌａｓｔｅｒモデル５／３０００（Ｈｙｄｒｏ  Ｅｎｇｉｎｅｅｒｉｎｇ，Ｉｎｃ．，Ｓａｌｔ  Ｌａｋｅ  Ｃｉｔｙ，ＵＴ）等の高圧洗浄機を用いて行ってよい。より具体的には、洗浄組成物は、（約６８９．４ｋＰａ（約１００ｐｓｉ）〜約１１３７．６ｋＰａ（約１６５ｐｓｉ））、あるいは（約６８９．４ｋＰａ  約１００ｐｓｉ）〜約８９６．３ｋＰａ（約１３０ｐｓｉ））のノズル圧力で車両の外面に塗布してよい。更に、洗浄組成物は、（約０．２５Ｌ／ｓ（約４ｇｐｍ）〜約０．４１Ｌ／ｓ（約６．５ｇｐｍ））、あるいは（約０．３１Ｌ／ｓ（約５ｇｐｍ）〜約０．３７Ｌ／ｓ（約６ｇｐｍ））の噴霧速度で車両の外面に塗布してよい。更なる実施形態では、方法は、車両の外面にブラシで洗浄組成物を塗り付けることを含んでよい。
【００３５】
別の実施形態では、洗浄組成物は、車両の外面から水ですすぎ落とされる。水は、洗浄組成物の塗布に関して論じた通り、車両の外面に塗布してよい。例えば、水は、高圧下で車両の外面に噴霧してよい。
【００３６】
更なる実施形態では、方法は、車両の外面に洗浄組成物を塗布する前に、洗浄組成物を希釈することを含んでよい。１つの特定の実施形態では、洗浄組成物は、塗布前に８０／２０希釈しなければならない。例えば、１部の洗浄組成物を４部の水で希釈しなければならない。このような希釈は、手動で行ってもよく、塗布前に適切な量の洗浄組成物を高圧洗浄機に吸い上げることによって行ってもよい。
【００３７】
また、本明細書に記載する洗浄組成物は、車両表面に加えて塗装金属表面及び未塗装金属表面の洗浄にも有効であり得る。例えば、本明細書に記載する洗浄組成物は、塗装スチール表面及び未塗装スチール表面の洗浄に有効であり得る。
【実施例】
【００３８】
本明細書に記載する実施形態について、以下の実施例によって更に明確にする。
【００３９】
（実施例１）
洗浄組成物による化学兵器類似物の除去
実験プロトコール化学兵器剤を除去することによって車両の外面を洗浄する様々な洗浄組成物の能力について研究した。より具体的には、化学兵器類似物を除去することによって軍用車両の様々な外面を洗浄する様々な化学洗浄組成物の能力について研究した。
【００４０】
使用した洗浄組成物は、以下の通りであった：１）対照Ｃ８処方；２）Ｃ８処方＋Ｓｕｒｆａｃｔｏｌ（登録商標）３６５；３）Ｃ８処方＋Ｍａｃａｔ（登録商標）Ｕｌｔｒａ  ＣＤＯ；及び４）Ｃ８処方＋Ｍｉｒａｎｏｌ（登録商標）ＪＥＭ。使用した洗浄組成物については、以下の表ＩＩＩ〜ＶＩに丁寧に説明する。
【００４１】
【表３】
2015525276.tif 000008
【００４２】
【表４】
2015525276.tif 000009
【００４３】
【表５】
2015525276.tif 000010
【００４４】
【表６】
2015525276.tif 000011
【００４５】
以下の手順に従って、２０８Ｌ（５５ガロン）のドラム内で混合することによって、表ＩＩＩ〜ＶＩに記載の洗浄組成物を調製した：１）Ｔｅｒｇｉｔｏｌ（商標）、Ｔｗｅｅｎ（登録商標）、Ｍａｃｋａｍｉｎｅ  Ｃ８、及び水をドラムに添加し、混合したが、過剰の発泡を引き起こさないようにそれほど激しくは混合しなかった；２）Ｃ８処方＋Ｓｕｒｆａｃｔｏｌ（登録商標）３６５、Ｃ８処方＋Ｍａｃａｔ（登録商標）Ｕｌｔｒａ  ＣＤＯ、及びＣ８処方＋Ｍｉｒａｎｏｌ（登録商標）ＪＥＭ洗浄組成物に関して、Ｓｕｒｆａｃｔｏｌ（登録商標）３６５、Ｍａｃａｔ（登録商標）Ｕｌｔｒａ  ＣＤＯ、又はＭｉｒａｎｏｌ（登録商標）ＪＥＭを、混合しながらドラムにゆっくり添加した。Ｓｕｒｆａｃｔｏｌ（登録商標）３６５、Ｍａｃａｔ（登録商標）Ｕｌｔｒａ  ＣＤＯ、及び／又はＭｉｒａｎｏｌ（登録商標）ＪＥＭは、溶解するまで混合することが困難であり且つ時間がかかるゲルを形成させる場合があるので、混合の順序が重要であることに留意すべきである。したがって、このようなゲル形成を防ぐために、Ｓｕｒｆａｃｔｏｌ（登録商標）３６５、Ｍａｃａｔ（登録商標）Ｕｌｔｒａ  ＣＤＯ、及びＭｉｒａｎｏｌ（登録商標）ＪＥＭを最後に添加し、それをゆっくり添加することが必要である。
【００４６】
化学剤耐性コーティング（以後、「ＣＡＲＣ」）表面、空軍トップコート（以後「ＡＦ」）でコーティングされた表面、及び海軍トップコート（以後「ＮＶ」）でコーティングされた表面を含有する試験クーポンを、Ｅｄｇｅｗｏｏｄ  Ｃｈｅｍｉｃａｌ  Ｂｉｏｌｏｇｉｃａｌ  Ｗａｒｆａｒｅ  Ｃｅｎｔｅｒ（ＡＰＧ，ＭＤ）から入手した。このような試験クーポンの直径は、５．１ｃｍ（２インチ）であった。更に、このような試験クーポンをＣＡＲＣ、ＡＦ、及びＮＶでコーティングして、米国陸軍によって使用されている車両の様々な外面を模擬した。
【００４７】
試験クーポンの外面に化学兵器類似物を塗布する前に、試験クーポンを以下の手順に従って洗浄した：１）一般的な食器洗い用石鹸溶液を蒸留水で希釈した；２）試験クーポンを石鹸溶液で被覆した；３）試験クーポンを５分間手で又は機械的磨き機で磨き洗いした；４）試験クーポンを、各すすぎにつき〜５５０ｍＬの蒸留水で５回すすいだ；５）試験クーポンを空気乾燥させ、洗浄拭き取り具とは別の箱に保管した。この特定の実施例では、使用した一般的な食器洗い用石鹸は、Ｄａｗｎ（登録商標）Ｄｉｓｈ  Ｓｏａｐ（Ｐｒｏｃｔｅｒ  ＆  Ｇａｍｂｌｅ，Ｃｉｎｃｉｎｎａｔｉ，ＯＨ）であり、これは、少なくとも水、ラウリル硫酸ナトリウム、ナトリウムパレス−２３、硫酸Ｃ−１２〜１４−１６、ジメチルアミンオキシド、ＳＤアルコール、ウンデセス−９、プロピレングリコール、シクロヘキサンジアミン、ポリアセテート、プロテアーゼ、芳香剤、ＦＤ＆Ｃ青を含有し、リン酸塩を含有しない。４８ｇのＤａｗｎ（登録商標）を４７５ｇの蒸留水に添加することによって、このような食器洗い用石鹸を希釈した。また、この特定の実施形態において使用した洗浄拭き取り具は、Ｋｉｍｗｉｐｅｓ（登録商標）（Ｋｉｍｂｅｒｌｙ−Ｃｌａｒｋ，Ｎｅｅｎａｈ，ＷＩ）であった。
【００４８】
次いで、ＣＡＲＣ、ＡＦ、又はＮＶでコーティングした試験クーポンからＣＥＰＳを除去する表ＩＩＩ〜ＶＩに記載の洗浄組成物の能力を、以下の手順に従って評価した：１）試験クーポンのコーティング表面の周囲に均等に配置された化学兵器ＨＤ類似物、２ークロロエチルフェニルスルフィド（以後「ＣＥＰＳ」）の１０ー１ｍＬの液滴で試験クーポンを汚染した；２）汚染した試験クーポンを、重さを量った皿（weigh dish）を含む密閉ガラスジャー内で１時間寝かせた；３）表ＩＩＩ〜ＶＩに記載の洗浄組成物５０ｍＬを別個の空のジャーに入れた；４）各ジャーが１枚の試験クーポンを含むように、汚染した試験クーポンを表ＩＩＩ〜ＶＩに記載の組成物を含むジャーに移した；５）試験クーポンの〜１ｃｍ上方の位置になるように、各ジャーの溶液中に攪拌機のパドルを配置した；６）各溶液を〜１５０ｒｐｍで１０分間室温で撹拌した；７）試験クーポンから洗浄組成物を流し落とした；８）試験クーポンをジャーから取り出し、５０ｍＬの蒸留水を含む別個のガラスジャーに入れ、１０分間浸漬した；９）試験クーポンから水を流し落とした；１０）試験クーポンを別個の重さを量った皿に移した；１１）重さを量った皿において各試験クーポンに５ｍＬのクロロホルムを塗布し、別個の密閉ガラスジャー内で５分間浸漬した；１２）各ガラスジャーからクロロホルムのサンプルを得、ガスクロマトグロフィーによってＣＥＰＳについて分析した。ＨＤは、水への溶解度が低く、除去について大きな課題を提示すると考えられたので、これら研究にはＣＥＰＳを選択した。
【００４９】
試験クーポンから除去されたＣＥＰＳの量は、５ｍＬのクロロホルムに溶解している元々の１０マイクロリットルと試験の最後にガラスジャーから得られたサンプルとの間でガスクロマトグラフを比較することによって計算した。
【００５０】
実験結果。図１に示す通り、これら研究で使用したＣ８処方＋Ｍａｃａｔ（登録商標）Ｕｌｔｒａ  ＣＤＯ洗浄組成物のみが、試験した全ての表面（すなわち、ＣＡＲＣ、ＡＦ、及びＮＶ）において、化学兵器ＨＤ類似物の約９０％超を除去するのに有効であった。
【００５１】
（実施例２）
ＣＥＰＳの除去に対する、腐食防止剤を含む様々な濃度のＣ８処方＋Ｍａｃａｔ（登録商標）Ｕｌｔｒａ  ＣＤＯ洗浄組成物の効果
実験プロトコール。化学兵器剤を除去することによって車両の外面を洗浄する様々な洗浄組成物の能力について研究する。より具体的には、化学兵器類似物を除去することによって車両の様々な外面を洗浄する様々な濃度の化学洗浄組成物の能力について研究する。
【００５２】
この研究で使用する洗浄組成物は、表Ｉに既に記載した通りであり、また、以下の表ＶＩＩ〜ＩＸに記載する通りである。表Ｉに記載する組成物は、対照として機能する。溶解するまで混合しながら亜硝酸ナトリウム及びメタケイ酸ナトリウムを添加する追加工程を含むことを除いて、実施例Ｉの表ＩＩＩ〜ＶＩに記載の洗浄組成物について既に論じた手順に従って洗浄組成物を調製する。より具体的には、亜硝酸ナトリウム及びメタケイ酸ナトリウムは、溶解するまで混合しながら、手順の最後の工程として添加する。
【００５３】
【表７】
2015525276.tif 000012
【００５４】
【表８】
2015525276.tif 000013
【００５５】
【表９】
2015525276.tif 000014
【００５６】
実施例１で既に論じた試験クーポンを得る。また、試験クーポンは、実施例１で既に論じた通り洗浄する。次いで、ＣＡＲＣ、ＡＦ、又はＮＶでコーティングされた試験クーポンからＣＥＰＳを除去する表Ｉ及びＶＩＩ〜ＩＸに記載の洗浄組成物の能力を、実施例１で既に論じた通りの手順に従って評価する。
【００５７】
実験結果。表ＶＩＩ〜ＩＸに記載の洗浄組成物は、ＣＡＲＣ及びＡＦでコーティングされた表面において、化学兵器ＨＤ類似物ＣＥＰＳの約９０％超を除去するのに有効であると予測され、また、ＮＶでコーティングされた表面において、ＣＥＰＳの約８０％超を除去するのに有効であると予測される。
【００５８】
（実施例３）
ＣＥＰＳの除去に対するＣ8〜18アルキルポリエチレングリコールソルビタン脂肪エステル界面活性剤洗浄組成物の効果
実験プロトコール。化学兵器剤を除去することによって車両の外面を洗浄する洗浄組成物の能力について研究する。より具体的には、車両の外面から化学兵器類似物を除去する、モノパルミチン酸ポリオキシエチレン（２０）ソルビタン（ポリソルベート４０）を含有する洗浄組成物の能力について研究する。
【００５９】
この研究で使用する洗浄組成物は、表Ｉに既に記載した通りであり、以下の表Ｘに記載する通りである。表Ｉに記載の組成物は、対照として機能する。１）表Ｘに記載の洗浄組成物に関して、Ｔｗｅｅｎ（登録商標）の代わりにモノパルミチン酸ポリオキシエチレン（２０）ソルビタン（ポリソルベート４０）を使用し；２）溶解するまで混合しながら亜硝酸ナトリウム及びメタケイ酸ナトリウムを添加する追加工程を含むことを除いて、実施例１の表ＩＩＩ〜ＶＩに記載の洗浄組成物に関して既に論じた通りの手順に従って、洗浄組成物を調製する。より具体的には、亜硝酸ナトリウム及びメタケイ酸ナトリウムは、溶解するまで混合しながら、手順の最後の工程として添加する。
【００６０】
【表１０】
2015525276.tif 000015
【００６１】
実施例１で既に論じた試験クーポンを得る。また、試験クーポンは、実施例１で既に論じた通り洗浄する。次いで、ＣＡＲＣ、ＡＦ、又は海軍でコーティングされた試験クーポンからＣＥＰＳを除去する表Ｉ及びＸに記載の洗浄組成物の能力を、実施例１で既に論じた通りの手順に従って評価する。
【００６２】
実験結果。表Ｘに記載の洗浄組成物は、ＣＡＲＣ及びＡＦでコーティングされた表面において、化学兵器ＨＤ類似物ＣＥＰＳの約９０％超を除去するのに有効であると予測され、また、ＮＶでコーティングされた表面において、ＣＥＰＳの約８０％超を除去するのに有効であると予測される。
【００６３】
請求する発明主題の趣旨及び範囲から逸脱することなく、本明細書に記載する実施形態に様々な修正及び変形を行い得ることは、当業者には明らかであろう。したがって、明細書は、本明細書に記載する様々な実施形態の修正及び変形例を網羅するが、但し、このような修正及び変形例は、添付の特許請求の範囲及びその等価物の範囲内であることを意図する。
【００６４】
「好ましくは」、「一般的に」及び「典型的に」という用語は、本明細書において、請求される範囲を制限するため、又は一定の特徴が請求される構造又は機能にとって重大、不可欠、又は更に重要であることを暗示するために利用されるものではないことに注意されたい。むしろこれらの用語は、本開示の特定の実施形態の中で使用されてもよい又は使用されない代替的又は追加的特長を強調することを単に意図している。
【００６５】
別途記載のないかぎり、本明細書及び「特許請求の範囲」で使用する成分の量等の特性、反応条件等を表すすべての数は、すべての場合に「約」という用語によって修飾されることを理解すべきである。"したがって、そうでない旨の指示がない限り、本明細書及び特許請求の範囲に記載される数値パラメータは、本開示の発明主題によって得ようとする望ましい特性に応じて変更可能な概算値である。
【００６６】
本開示の説明及び定義の目的のために「、実質的に」という用語は、本明細書において、任意の定量的な比較、値、測定、又は他の表現に帰属される場合がある、不確定の固有度を表すために利用されることに注意されたい。「実質的に」という用語はまた、本明細書においては、定量的表現が、問題となる対象物の基本的機能に変化をもたらすことなく、記載の基準から変動する程度を表すためにも利用される。
【００６７】
本明細書の全体を通じて与えられるすべての最大の数値限定は、それよりも小さい数値限定を、そうしたより小さい数値限定があたかも本明細書に明確に記載されているものと同様にして包含するものと理解すべきである。本明細書全体を通して記載される全ての最小数値限定は、このようなより高い数値限定が本明細書に明示的に記載されているかのように、全てのより高い数値限定を含む。本明細書全体を通して記載される全ての数値範囲は、このようなより狭い数値範囲が本明細書に明示的に記載されているかのように、このようなより広い数値範囲内の全てのより狭い数値範囲を含む。
【図１】
2015525276.tif 000018
【国際調査報告】
2015525276.tif 000019
2015525276.tif 000020
2015525276.tif 000021